(57)【要約】【課題】  剛体との衝突時に色剥げや傷が付き難く、釣り用浮きでは長期間の使用後も使用前と同等の重量バランスを維持可能で、生産性も高まりコスト低下が図れ、しかも浮力検査の省略も可能な釣り具およびその製造方法を提供する。【解決手段】  浮き本体１１がコーティング成形体１４で被われているので、釣り用浮き１０が岩に衝突しても色剥げしない。また、コーティング成形体１４をセプトン製としたので、衝突時に傷が付き難く、傷による釣り用浮き１０の重量バランスの低下が防げ、入水時の釣り用浮き１０の振れが抑制される。しかも、高生産性でコスト低下も図れ、浮力検査の省略も可能になる。【選択図】図１
2005087165.tif 000002
【特許請求の範囲】
【請求項１】
木製または合成樹脂製の釣り具本体と、
該釣り具本体を被い、軟質合成樹脂製のコーティング成形体とを備えた釣り具。
【請求項２】
前記釣り具は、釣り用浮き、ルアー、餌木、小物入れ、ポケットケース、マキエシャクおよび撒餌攪拌具のうち、何れか１つである請求項１に記載の釣り具。
【請求項３】
前記軟質合成樹脂は、熱可塑性エラストマーである請求項１または請求項２に記載の釣り具。
【請求項４】
前記コーティング成形体には、表示プレートが設けられた請求項１〜請求項３のうち、何れか１項に記載の釣り具。
【請求項５】
釣り具本体を、合成樹脂により成形する本体成形工程と、
得られた釣り具本体を計量する第１の計量工程と、
この第１の計量工程で得られた第１の計量値が第１の基準値を満した釣り具本体の表面に、軟質合成樹脂製のコーティング成形体を成形するコーティング体成形工程と、
このコーティング成形体が成形された釣り具本体を計量する第２の計量工程と、
この第２の計量工程で得られた第２の計量値が第２の基準値を満した釣り具のコーティング成形体に対して、表示プレートを設けるプレート設置工程とを備えた釣り具の製造方法。
【請求項６】
前記釣り具は、釣り用浮き、ルアー、餌木、小物入れ、ポケットケース、マキエシャクおよび撒餌攪拌具のうち、何れか１つである請求項５に記載の釣り具の製造方法。
【請求項７】
前記軟質合成樹脂は、熱可塑性エラストマーである請求項５または請求項６に記載の釣り具の製造方法。
【発明の詳細な説明】
【技術分野】
【０００１】
この発明は釣り具およびその製造方法、詳しくは浮き、ルアーなどの木製または合成樹脂製の釣り具およびその製造方法に関する。
【背景技術】
【０００２】
近年の釣りブームを反映し、釣り用のさまざまな道具が新しく開発されたり、不便な箇所が改良されたりしている。このことは、例えば釣り用浮き（釣り具）でも同じである。
従来の釣り用浮きとして、例えば特許文献１に記載された合成樹脂製の浮きが知られている。特許文献１の浮きは、硬質の発泡性合成樹脂からなる浮き本体（釣り具本体）を有し、浮き本体の表面に耐水性の塗料を塗装し、釣り用浮きに色分けを施したり、模様、文字などを表示していた。
【０００３】
以下、一般的な合成樹脂製の釣り用浮きの製造方法を説明する。
すなわち、図７のフローシートに示すように、まず発泡質の合成樹脂（例えばポリウレタン）を加熱金型内に充填して浮き本体を加圧成形する（Ｓ７０１）。このとき、必要により浮き本体の所定位置に錘を埋め込む。その後、浮き本体を重量検査する（Ｓ７０２）。次に、この計量値が規定値を満足した良品の浮き本体に対して、例えば白色での下地塗装としての第１塗装（Ｓ７０３）を行う。その後、浮き本体１０１の表面を研磨し（Ｓ７０４）、次に赤色での部分的な第２塗装（Ｓ７０５）、青色での部分的な第３塗装（Ｓ７０６）、ニス塗りなどの仕上げ塗装（Ｓ７０７）を順次施す。そして浮力検査を行い（Ｓ７０８）、検査に合格したものが製品となる（Ｓ７０９）。
【特許文献１】特開平１０−２１０９０９号公報
【発明の開示】
【発明が解決しようとする課題】
【０００４】
しかしながら、従来の釣り用浮きでは、このように浮き本体が、木製または硬質の発泡性合成樹脂からなり、その表面には塗装が施されていた。そのため、以下の問題点があった。
(1) 釣り用浮きが、例えば岩や岸壁に衝突したとき、浮き本体の塗装が剥げ易かった。
(2) また、浮き本体が硬質の発泡性合成樹脂製であったので、岩などへの衝突時に傷が付き易かった。
(3) さらに、このように浮き本体に傷が付くと、釣り用浮きの重量バランスが低下する（特に、木製の場合）。そのため、入水時に釣り用浮きが振れ易く、安定性が悪かった。
(4) そして、浮き本体の表面への塗装は多数回にわたって施される。そのため、体積が一定せず、手間がかかり、生産性が低下し、コスト高となっていた。
(5)  さらにまた、塗装後、浮力検査が必要だった。これは、塗装層の厚さが全て均一ではなく、塗装前の重量検査では良品であっても、塗装後の浮力検査では全ての浮き本体の浮力が均一とは限らなかった。
【０００５】
この発明は、岩などの剛体と衝突しても色剥げや傷が付き難く、また釣り用浮きの場合には、長期間の使用後も使用前と同等の重量バランスを維持可能で、しかも生産性を高めることができてコスト低下も図れ、さらに浮力検査を省略することができる釣り具およびその製造方法を提供することを目的としている。
【課題を解決するための手段】
【０００６】
請求項１に記載の発明は、木製または合成樹脂製の釣り具本体と、該釣り具本体を被う軟質合成樹脂製のコーティング成形体とを備えた釣り具である。
【０００７】
請求項１に記載の発明によれば、釣り具本体が無塗装のコーティング成形体により被われているので、例えば釣り場で、釣り具が固い岩や岸壁などに衝突しても、従来のように塗装の色剥げが発生しない。
また、浮き本体を被うコーティング成形体は軟質合成樹脂製である。そのため、岩などに釣り具が衝突しても、コーティング成形体に傷が付き難い。しかも、従来のように塗装の重ね塗りがないため、釣り具の生産性が高まり、コスト低下も図ることができる。
特に、釣り具が釣り用浮きの場合には、このように傷が付き難いため、傷付きによる釣り用浮きの重量バランスの低下を防ぐことができる。また、浮き全体をコーティングすることで、入水時に釣り用浮きの振れを抑制し、安定性を高めることができる。しかも、浮力検査を省略することができる。
【０００８】
釣り具の種類は限定されない。
釣り具本体の原料としては、例えば木製、発泡ウレタン、発泡ポリエチレン、発泡ポリスチレン、発泡スチロールなどを採用することができる。ただし、これに限定されない。
釣り具が釣り用浮きの場合、その浮きの種類は限定されない。例えば、立ち浮き、ななめ浮き、ドングリ浮き、なつめ浮き、玉浮きなどでもよい。
ここでいうコーティング成形体とは、軟質合成樹脂の露出面が塗料により被覆されていないものをいう。
コーティング成形体の形状、大きさなどは限定されない。釣り具本体の全部をコーティング成形体で被ってもよいし、釣り具本体の一部だけを被ってもよい。コーティング成形体の厚さは限定されない。例えば２〜３ｍｍである。
軟質合成樹脂としては、例えばスチレン系などの各種の熱可塑性エラストマーを採用することができる。エラストマー製の部材は弾性を有して耐衝撃性が高い。
釣り具への着色は、例えば着色剤を軟質合成樹脂に添加し、コーティング成形体を色付けすることで行われる。
【０００９】
請求項２に記載の発明は、前記釣り具は、釣り用浮き、ルアー、餌木、小物入れ、ポケットケース、マキエシャクおよび撒餌攪拌具のうち、何れか１つである請求項１に記載の釣り具である。
マキエシャクおよび撒餌攪拌具の場合には、例えばグリップにこの発明を採用することができる。
【００１０】
請求項３に記載の発明は、前記軟質合成樹脂は、熱可塑性エラストマーである請求項１または請求項２に記載の釣り具である。
熱可塑性エラストマーとしては、例えばスチレン系、塩化ビニル系、オレフィン系、ウレタン系、ポリエステル系、ニトリル系、ポリアミド系、フッ素系、塩素化ポリエチレン、１・２ポリブタジエン、トランス１・４ＩＲ、塩素化エチレンコポリマー架橋体アロイ、エステルハロゲン系ポリマーアロイなどを採用することができる。特に、ポリスチレンブロックと、柔軟なポリオレフィン構造のエラストマーブロックとからなるクラレプラスチックス株式会社製の「商品名セプトン」が好ましい。
【００１１】
請求項４に記載の発明は、前記コーティング成形体には、表示プレートが設けられた請求項１〜請求項３のうち、何れか１項に記載の釣り具である。
【００１２】
請求項４に記載の発明によれば、特殊な模様、文字などは、表示プレートを用いてコーティング成形体に施される。そのため、この発明の効果を損なうことなく、任意の表示を釣り具の露出面に施すことができる。
表示プレートの素材、形状、大きさは限定されない。表示プレートのコーティング成形体への固定方法も限定されない。例えば、接着、熱融着、螺合でもよい。
【００１３】
請求項５に記載の発明は、釣り具本体を、合成樹脂により成形する本体成形工程と、得られた釣り具本体を計量する第１の計量工程と、この第１の計量工程で得られた第１の計量値が第１の基準値を満した釣り具本体の表面に、軟質合成樹脂製のコーティング成形体を成形するコーティング体成形工程と、このコーティング成形体が成形された釣り具本体を計量する第２の計量工程と、この第２の計量工程で得られた第２の計量値が第２の基準値を満した釣り具のコーティング成形体に対して、表示プレートを設けるプレート設置工程とを備えた釣り具の製造方法である。
【００１４】
請求項５に記載の発明によれば、釣り具本体の成形後、その釣り具本体を計量する。釣り具が釣り用浮きの場合、特に計量は重要である。釣り用浮きの浮力の大きさや重量バランスを決定する際に必要だからである。この計量値が第１の基準値を満たす良品には、その後、釣り具本体の表面に軟質合成樹脂からなるコーティング成形体を成形する。
このコーティング成形体には塗装が施されない。そのため、釣り具を岩などにぶつけても従来のように色剥げが発生しない。
また、コーティング成形体が軟質合成樹脂であるので、岩などに衝突しても傷が付き難い。そのため、例えば釣り具が釣り用浮きの場合には、このように傷が付き難いことから、長期間の使用後も使用前と同等の重量バランスを維持可能となる。しかも、従来のように何度も塗装を繰り返す必要がないので、釣り具の生産性が高まり、コスト低下も図れる。
【００１５】
請求項６に記載の発明は、前記釣り具は、釣り用浮き、ルアー、餌木、小物入れ、ポケットケース、マキエシャクおよび撒餌攪拌具のうち、何れか１つである請求項１に記載の釣り具である。
【００１６】
請求項７に記載の発明は、前記軟質合成樹脂は、熱可塑性エラストマーである請求項５または請求項６に記載の釣り具の製造方法である。
【発明の効果】
【００１７】
請求項１に記載の釣り具および請求項３に記載の釣り具の製造方法によれば、釣り具本体が、塗装されていないコーティング成形体により被われているので、例えば釣り場で、釣り具が岩などの剛体に衝突しても、従来のように塗装の色剥げが発生しない。
また、コーティング成形体を軟質合成樹脂製としたので、釣り具が岩などに衝突しても、コーティング成形体に傷が付き難い。しかも、従来のように複数回にわたって塗装を繰り返す作業が不要となるので、釣り具の生産性が高まり、コスト低下も図れる。
特に、釣り具が釣り用浮きの場合には、このように傷が付き難いので、傷による釣り用浮きの重量バランスの低下を防止できる。また、浮き全体をコーティングすることで、入水時の釣り用浮きの振れを抑制し、安定性を高めることできる。しかも、コーティング成形体の厚さが全て均一となるので、コーティング前の重量検査で良品であれば全ての浮き本体の浮力が均一となるので、コーティング後の浮力検査を省略することができる。
【００１８】
特に、請求項４に記載の釣り具および請求項５に記載の釣り具の製造方法によれば、特殊な模様、文字などは、表示プレートを用いてコーティング成形体に施することができる。その結果、この発明の効果を損なうことなく、任意の表示を釣り具の露出面に施すことができる。
【発明を実施するための最良の形態】
【００１９】
以下、この発明の実施例を図面を参照して説明する。
【実施例１】
【００２０】
図１〜図３において、１０は釣り用浮き（釣り具）で、この釣り用浮き１０は、合成樹脂製の浮き本体（釣り具本体）１１と、浮き本体１１に、その長さ方向の両端部を貫通して埋め込まれた中通し管１２と、浮き本体１１に埋め込まれた錘１３と、この浮き本体１１を被い、軟質合成樹脂製のコーティング成形体１４と、１対の表示プレート１５とを備えている。
【００２１】
釣り用浮き１０はドングリ浮きである。浮き本体１１は硬質の発泡ウレタン製で、発泡性の合成樹脂を採用することで、釣り用浮き１０に浮力が与えられる。
中通し管１２は、浮き本体１１の軸線方向の長さより若干長いＡＢＳ製の細長い管体である。中通し管１２の長さ方向の中間部は大径化している。中通し管１２は、その長さ方向の中間点から、雄雌嵌合部を介して、上側部分管１２ａと下側部分管１２ｂとに２分割されている。下側部分管１２ｂの外方に突出した部分には、コーティング成形体１４と一体成形されたカバー部１４ａが設けられている。
【００２２】
錘１３はリング形状で、中通し管１２への挿通状態で、浮き本体１１の下端部に埋め込まれている。
コーティング成形体１４は、浮き本体１１の略全体を被う厚さ２〜３ｍｍの外殻部材である。軟質合成樹脂としては、クラレプラスチックス株式会社製の「商品名セプトン」を採用している。セプトンは、スチレン系熱可塑性エラストマーである。エラストマー製品は弾性を有している。そのため、これを外装材とした釣り用浮き１０は耐衝撃性が高い。釣り用浮き１０への着色は、着色剤をセプトンに所定量添加することで行われる。
コーティング成形体１４の軸線方向の略中間部には、周方向に長い１対のプレート嵌入孔１４ｂが、その周方向に離間してそれぞれ形成されている。各プレート嵌入孔１４ｂから露出した浮き本体１１の表層には、１対のピン孔１１ａがそれぞれ形成されている。
【００２３】
両表示プレート１５は、円弧形状を有した例えばプラスチック製（ＡＢＳ）メッキ処理プレートで、その表面に釣り用浮き１０のネームが刻印または印刷されている。両表示プレート１５の長さ方向の両端部の内面には、１対のピン１５ａが突設されている。両表示プレート１５は、これらのピン１５ａをピン孔１１ａに挿着した状態で、対応するプレート嵌入孔１４ｂに嵌入される。
【００２４】
次に、図４のフローシートを参照して、この発明の実施例１に係る釣り用浮きの製造方法を説明する。
まず、図示しない上下１対の加熱金型に、両端部が外方に突出した状態で中通し管１２を装着する。その後、この加熱金型内に、溶融状態の発泡ポリウレタンを挿入し、ドングリ形状の浮き本体１１を加圧成形する（Ｓ１０１）。このとき、錘１３は中通し管１２の所定位置に挿着状態で浮き本体１１の下端部に埋め込まれる。また、浮き本体１１の長さ方向の中間の外周面には、その所定位置に２対のピン孔１１ａが形成されている。
【００２５】
その後、浮き本体１１の重量を検査する（Ｓ１０２）。ここでは、得られた第１の計量値が、予め規定された第１の基準値（例えば４．０〜６．５ｇ）の範囲内であれば良品、そうでなければ不良品とする。次いで、良品の浮き本体１１の表面に、刷毛塗りによって白色の下地塗装を施す（Ｓ１０３）。
続いて、浮き本体１１の外周面には、隣接する１対のピン孔１１ａの各形成部付近に、１対のプレート嵌入孔形成用板片１６をそれぞれ突設させる（図５および図６）。両プレート嵌入孔形成用板片１６の幅方向の両側部には、その浮き本体１１との接触面から各先端部を突出させた状態で、１対の平行なダミーピン１７がそれぞれ埋設されている。両プレート嵌入孔形成用板片１６は、これらのダミーピン１７の先端部を、対応するピン孔１１ａにそれぞれ嵌入することで、浮き本体１１に突設される。
【００２６】
次に、両プレート嵌入孔形成用板片１６が突設された浮き本体１１を、１対の金型１８，１９内に挿着する。その後、金型１８，１９内に、所定量の着色剤が添加された溶融状態のセプトン（クラレプラスチックス株式会社製）を射出する。これにより、浮き本体１１の表面にコーティング成形体１４が成形される（Ｓ１０４）。脱型後、両プレート嵌入孔形成用板片１６を浮き本体１１から外すことで、コーティング成形体１４に１対のプレート嵌入孔１４ｂが形成される。
【００２７】
それから、コーティング成形体１４と一体化した浮き本体１１を再計量する（Ｓ１０５）。ここでは、得られた第２の計量値が、予め規定された第２の基準値（例えば８〜１１ｇ）の範囲内であれば良品、そうでなければ不良品とする。
次に、良品の浮き本体１１に対して、各ピン１５ａをピン孔１１ａに挿着した状態で、両表示プレート１５を、対応するプレート嵌入孔１４ｂに嵌入する（Ｓ１０６）。こうして、図１に示す釣り用浮き１０が製造される（Ｓ１０７）。
【００２８】
以上説明したように、浮き本体１１が、塗装されていないコーティング成形体１４により被われているので、例えば釣り場で、釣り用浮き１０が岩や岸壁などに衝突しても、従来のように釣り用浮き１０の塗装の色剥げが発生しない。
また、コーティング成形体１４を、スチレン系熱可塑性エラストマーであるセプトン製としたので、釣り用浮き１０が岩などに衝突しても、コーティング成形体１４に傷が付き難い。しかも、従来のように複数回にわたって塗装する必要がないので、釣り用浮き１０の生産性が高まり、コスト低下も図れる。
そして、釣り用浮き１０は、このように表面を被うコーティング成形体１４が傷が付き難い素材製からなるので、傷による釣り用浮き１０の重量バランスの低下を防げる。また、浮き全体をコーティングすることで、入水時の釣り用浮き１０の振れを抑制し、その安定性を高めることできる。しかも、コーティング成形体１４の厚さが全て均一となるので、コーティング前の重量検査で良品であれば、全ての浮き本体１１の浮力が均一となる。そのため、コーティング後の浮力検査を省略することができる。
また、釣り用浮き１０のネームは、表示プレート１５を介してコーティング成形体１４に施されるので、上記発明の効果を損なうことなく、ネームを釣り用浮き１０の露出面に施すことができる。
【図面の簡単な説明】
【００２９】
【図１】この発明の実施例１に係る釣り具の一部断面図を含む斜視図である。
【図２】この発明の実施例１に係る釣り具の横断面図である。
【図３】この発明の実施例１に係る釣り具の縦断面図である。
【図４】この発明の実施例１に係る釣り具の製造方法を示すフローシートである。
【図５】この発明の実施例１に係る釣り具の製造方法におけるコーティング成形体の成形工程を示す横断面図である。
【図６】この発明の実施例１に係る釣り具の製造方法におけるコーティング成形体の成形工程を示す縦断面図である。
【図７】従来手段に係る釣り具の製造方法を示すフローシートである。
【符号の説明】
【００３０】
１０  釣り用浮き（釣り具）、
１１  浮き本体（釣り具本体）、
１４  コーティング成形体、
１５  表示プレート。
【図１】
2005087165.tif 000003
【図２】
2005087165.tif 000004
【図３】
2005087165.tif 000005
【図４】
2005087165.tif 000006
【図５】
2005087165.tif 000007
【図６】
2005087165.tif 000008
【図７】
2005087165.tif 000009